(57)【特許請求の範囲】
【請求項１】
枠体内に無橋型電極が配置され、前記無橋型電極の少なくとも一方の電極が、前記枠体内に設けられた薬室に充填された点火薬に接してなり、かつ、前記無橋型電極の他方の電極が０．８〜１．５ｍJの電気エネルギーを発生させる圧電素子に接続されてなり、前記点火薬が、含有量が５５〜７５質量％であるジアゾジニトロフェノールと、含有量が１６〜２６質量％であるトリニトロレゾルシン鉛と、含有量が残存量である炭素質成分とを含有してなることを特徴とする点火装置。
【請求項２】
略直方体に形成され、その一端に開口部を有するカバーと、前記開口部から前記カバー内に挿入して収容された装置本体とからなり、前記装置本体には、請求項１に記載の点火装置と、前記点火装置に連設された光薬が充填された弾倉と、前記弾倉に前記点火装置によって発火させた光薬を信号照明弾として発射させる信号照明弾発射孔とを備えてなることを特徴とする信号照明弾発射装置。
【発明の詳細な説明】
【技術分野】
【０００１】
この発明は、点火薬、点火装置及び信号照明弾発射装置に関し、さらに詳しくは、低いエネルギーによって発火することのできる点火薬、この点火薬を用いてなる点火装置及びこの点火装置を有してなる軽量で携帯に便利な信号照明弾発射装置に関する。
【背景技術】
【０００２】
コンクリート破砕機又はロケットなどの点火装置に用いられる点火薬としては、これまでに、ロダン化鉛４０〜５０質量％と塩素酸カリウム６０〜５０質量％との混合物が知られている（非特許文献１）。
【０００３】
ところが、環境保全問題が浮上してきた近年においては、電気的感度が鋭敏ではあるが、鉛化合物である前記ロダン化鉛を比較的多量に含有する前記点火薬に代わる点火薬が要望されるようになってきた。このため、ジアゾジニトロフェノール単独を点火薬として用いることが試みられている（非特許文献１）。
【０００４】
【非特許文献１】共立出版株式会社、工業火薬協会編、「工業火薬ハンドブック」、昭和５８年１２月１０日初版６刷発行、ｐ２６６
【０００５】
しかしながら、前記ジアゾジニトロフェノールは、電気的感度が低く、可能な限り低いエネルギーにより発火することが望まれる点火薬においては、前記ジアゾジニトロフェノールのみからなる点火薬は信頼性に劣り、例えば、煙草に点火するライターに用いられる圧電素子によって発生するような低いエネルギーでは、発火しない場合があった。
【発明の開示】
【発明が解決しようとする課題】
【０００６】
この発明は、このような状況下、可及的に鉛化合物の含有量を低減させ、しかも低いエネルギーによって発火することのできる点火薬を提供すると共に、この点火薬を用いてなる点火装置及びこの点火装置を有してなる軽量で携帯に便利な信号照明弾発射装置を提供することをその課題とする。
【課題を解決するための手段】
【０００７】
この発明の前記課題を解決するための第１の手段は、
（１）含有量が５５〜７５質量％であるジアゾジニトロフェノールと、含有量が１６〜２６質量％であるトリニトロレゾルシン鉛と、含有量が残存量である炭素質成分とを含有してなることを特徴とする点火薬
である。
【０００８】
また、この発明の前記課題を解決するための第２の手段は、
（２）枠体内に無橋型電極が配置され、前記無橋型電極の少なくとも一方の電極が、前記枠体内に設けられた薬室に充填された前記（１）の点火薬に接してなり、かつ前記無橋型電極が圧電素子に接続されてなることを特徴とする点火装置
である。
【０００９】
さらに、この発明の前記課題を解決するための第３の手段は、
（３）略直方体に形成され、その一端に開口部を有するカバーと、前記開口部から前記カバー内に挿入して収容された装置本体とからなり、前記装置本体には、前記（２）の点火装置と、前記点火装置に連設された光薬が充填された弾倉と、前記弾倉に前記点火装置によって発火させた光薬を信号照明弾として発射させる信号照明弾発射孔とを備えてなることを特徴とする信号照明弾発射装置
である。
【発明の効果】
【００１０】
この発明によれば、比較的多量の電気的感度の低いジアゾジニトロフェノールと、比較的少量の電気的感度が鋭敏であるロダン化鉛とを含有し、前記それぞれの含有量を特定することによって電気的感度の調和を図り、低いエネルギーによって発火することができ、しかもロダン化鉛の含有量の低減化を達成した点火薬が提供される。
【００１１】
また、この発明の点火装置は、無橋型電極の少なくとも一方の電極が、前記点火薬に接してなることから、この発明によれば、前記と同様に、電気的感度の調和が図られ、低いエネルギーによって発火することができ、しかもロダン化鉛の含有量の低減化が達成された点火装置が提供される。
【００１２】
さらに、この発明によれば、前記点火装置によって発火させた光薬を信号照明弾として発射させることのできる軽量で携帯に便利な信号照明弾発射装置が提供される。このため、例えば、海難などによって海中に投げ出されて漂流する者、航空機事故によって航空機から脱出して海に着水し漂流する者又は山で遭難した者などの受難者が、この信号照明弾発射装置を携帯していると、その使用による信号照明弾によって、前記受難者の探索、発見及び救助を容易に行うことができる。
【発明を実施するための最良の形態】
【００１３】
（１）点火薬
この発明の点火薬は、含有量が５５〜７５質量％であるジアゾジニトロフェノール（以下、「ＤＤＮＰ」ということがある。）と、含有量が１６〜２６質量％であるトリニトロレゾルシン鉛（（以下、「トリシネート」ということがある。）と、含有量が残存量である炭素質成分とを含有してなることを特徴とする。
【００１４】
この発明の点火薬は、ＤＤＮＰ、トリシネート及び炭素質成分の合計に対し、５５〜７５質量％のＤＤＮＰを含有し、１６〜２６質量％のトリシネートを含有していることを要する。ＤＤＮＰの含有量が５５質量％未満で、トリシネートの含有量が２６質量％を越えるときは、低いエネルギーによって発火はするももの、鉛化合物であるトリシネートが過剰となり、環境保全に寄与する程度が低い点火薬となる。
【００１５】
また、ＤＤＮＰの含有量が７５質量％を越え、トリシネートの含有量が１６質量％未満では、鉛化合物であるトリシネートが少量であることから、環境保全の観点からは好ましい点火薬とはなるものの、低いエネルギーによって発火し難い点火薬となる。
【００１６】
そこで、この発明の点火薬においては、低いエネルギーによる発火性と環境保全性との双方の観点から、ＤＤＮＰとトリシネートとの含有量について種々検討した結果、前記のとおり、その最適な含有量を見出したのである。
【００１７】
この発明の点火薬は、前記ＤＤＮＰと、前記トリシネートを含有すると共に、炭素質成分を含有する。この炭素質成分は、点火薬に導電性と燃焼性とを付与する無機成分であり、炭素質成分としては、例えば、無定形炭素、グラファイト、炭素繊維、カーボンナノチューブ等の炭素物質を挙げることができる。前記炭素質成分の含有量は、前記ＤＤＮＰ及び前記トリシネートを除いた残存量である。
【００１８】
この発明の点火薬には、前記ＤＤＮＰ、前記トリシネート及び前記炭素質成分以外に、他の成分を含有していてもよい。この他の成分としては、例えば、ニトロセルロースを挙げることができる。このニトロセルロースは、膠化剤として用いられる成分であり、前記点火薬を泥薬として調製するために溶媒と共に用いられる。前記ニトロセルロースの含有量に制限はないが、通常は、ＤＤＮＰ、トリシネート及び炭素質成分の合計に対し、０．５〜３．０質量％である。
【００１９】
この発明の点火薬は、例えば、以下のようにして調製することができる。まず、ニトロセルロースを溶媒に溶解し、ニトロセルロース溶液を調製する。このときに用いられる溶媒には、ニトロセルロースを溶解する限り特に制限はないが、エステルが好ましく、このエステルとしては、ギ酸メチル、ギ酸エチル、ギ酸プロピル、酢酸メチル、酢酸エチル、酢酸プロピルなどを挙げることができるる。これらエステルの中でも酢酸エチルが好ましい。前記ニトロセルロース溶液の濃度にも制限はなく、通常は１〜２０質量％、好ましくは３〜５質量％である。
【００２０】
次いで、前記ニトロセルロース溶液に、ＤＤＮＰ、トリシネート及び炭素質成分を、前記含有量となるよう添加して、緩やかに撹拌、混合する。このときの混合条件に制限はなく、通常は１５〜２５℃で、５〜１０分間、混合処理される。このようにして調製された点火薬は、泥薬の形態を呈している。
【００２１】
この発明の点火薬は、比較的多量の電気的感度の低いジアゾジニトロフェノールと、比較的少量の電気的感度が鋭敏であるトリシネートとを含有することによって電気的感度の調和が図られ、低いエネルギーによって発火することができ、しかもトリシネートの含有量の低減化が達成された点火薬となる。
【００２２】
（２）点火装置
この発明の点火装置は、枠体内に無橋型電極が配置され、前記無橋型電極の少なくとも一方の電極が、前記枠体内に設けられた薬室に充填された前記（１）の点火薬に接してなり、かつ前記無橋型電極が圧電素子に接続されてなることを特徴とする。
【００２３】
この発明の点火装置を図面に基づいて説明する。図１は、この発明の点火装置の構造の一例を部分的に示す図である。
【００２４】
点火装置１は、枠体２内の略中央に、電極３−１が配置されている。この電極３−１は、無橋型電極である。この無橋型電極は、電極を形成する二本の脚線３−２が、例えば、白金細線によって架橋されている電橋型電極とは異なり、二本の脚線が架橋されていない電極である。
【００２５】
前記電極３−１は、図１に示すように、その先端がクロス状に形成されていることが好ましい。点火薬が発火した時の電極３−１の抜け防止となるからである。前記電極３のクロス状に形成されている電極３−１の先端は、薬室４内に点火薬５を充填することによって、前記点火薬５内に埋没した状態で点火薬５と接している。前記電極３−１及び薬室４以外の空間には、絶縁体６が充填されていることが好ましい。前記枠体２と前記電極３−１とを電気的に絶縁することが望まれるからである。
【００２６】
前記薬室４内に充填される点火薬５が、前記（１）の点火薬からなっていて、前記に例示した調製方法で調製された泥薬を、前記薬室４内に塗り込め、溶媒を揮発させることによって、表面にニトロセルロースの被膜が形成された点火薬５が前記薬室４内に充填される。
【００２７】
前記枠体２は、金属材料によって作製され、この金属材料としては、Ａｌ、Ｆｅ、Ｃｒ、Ｎｉなどを挙げることができる。中でも、軽量で耐蝕性に優れ、加工性の良好なＡｌが好ましい。前記電極３−１は、通常はＣｕにより形成されるが、Ａｌ、Ｆｅ、Ｃｒ、Ｎｉによって形成されていてもよい。
【００２８】
また、前記絶縁体６としては、電気絶縁性を有する材料である限りその材料に制限はなく、例えば、樹脂を好適な材料として挙げることができる。この樹脂としては、ポリカーボネート、ポリアミド、ポリエステル、ポリアセタール、ポリアクリレート、ポリオレフインなどの合成樹脂を挙げることができる。これら樹脂の中でも、堅牢なポリカーボネートが好ましい。
【００２９】
前記絶縁体６は、前記電極３及び薬室４以外の空間に、熔融状態又は半熔融状態の前記樹脂を流しこみ、冷却することによって形成することができる。また、所定形状に成形された樹脂成形体を嵌合させた後、前記枠体２を取り付けてもよく、絶縁体６の形成手段に特別の制限はない。
【００３０】
図２は、この発明の点火装置の全体的構造の一例を示す図である。前記電極３−１の二本の脚線３−２は、圧電素子７に接続されている。この圧電素子７としては、応力を加えることにより抵抗率が変化するピエゾ抵抗効果又は圧力を加えることにより電圧が発生する圧電効果を利用した素子である限り制限はないが、例えば、チタン酸バリウム、Ｐｂ（ＺｒｘＴｉ１−ｘ）Ｏ３（ＰＺＴ）などを挙げることができる。
【００３１】
この発明の点火装置に用いる圧電素子７は、人の指の力程度（２．５ｋｇｆ程度）で作動することができる小型のタイプであることが望ましい。小型の圧電素子における２．５ｋｇｆ程度の押圧によって発生するピーク電圧は、１４〜２０ｋｖであり、ピーク電流は２５０ｍＡ程度である。作用時間は２５〜３５μ秒であり、発生する電気エネルギーは０．８〜１．５ｍＪである。この発明の点火装置に用いる圧電素子７は、例えば、煙草に点火するライターに用いられる圧電素子のような、低いエネルギーを発生する圧電素子で十分である。
【００３２】
この発明の点火装置においては、前記圧電素子７によって生じた電圧が前記点火薬５に印加されると、前記点火薬５中に火花が発生し、この火花によって前記点火薬５が発火する。このこの発明の点火装置は、後記する信号照明弾発射装置を形成するために、光薬８を内蔵する弾倉９に接続されている。前記火花によって発火した点火薬５は、前記光薬８を着火させるための薬剤である。
【００３３】
この発明の点火装置１は、無橋型電極の少なくとも一方の電極３−１が、前記（１）の点火薬５に接していることから、低いエネルギーによって発火することができ、しかもロダン化鉛の含有量の低減化が達成された点火装置となる。
【００３４】
（３）信号照明弾発射装置
この発明の信号照明弾発射装置は、略直方体に形成され、その一端に開口部を有するカバーと、前記開口部から前記カバー内に挿入して収容された装置本体とからなり、前記装置本体には、前記（２）の点火装置と、前記点火装置に連設された光薬が充填された弾倉と、前記弾倉に前記点火装置によって発火させた光薬を信号照明弾として発射させる信号照明弾発射孔とを備えてなることを特徴とする。
【００３５】
この発明の信号照明弾発射装置を図面に基づいて説明する。図３は、この発明の信号照明弾発射装置の一例を一部断面を含めて部分的に示す図である。
【００３６】
信号照明弾発射装置１０−１は、前記（２）の点火装置１が光薬８を内蔵する弾倉９に接続されている。この弾倉９は、好ましくは円筒状に形成されるが、必ずしも円筒状に形成されることに拘束されることはなく、楕円筒状であってもよく、角筒状であってもよい。前記弾倉９の先端には蓋部材１１を備え、他端には底部材１２を備えている。
【００３７】
前記弾倉９は、金属材料によって作製され、この金属材料としては、前記枠体２を作製するために用いる材料を挙げることができる。ただし、前記蓋部材１１は、紙、布、樹脂シート又は樹脂フィルムのような破れ易い材料によって形成されている。前記蓋部材１１を備えた部位は、前記点火装置１によって発火させた光薬８を信号照明弾として発射させる信号照明弾発射孔となるからである。
【００３８】
前記光薬８中には、速火線１３が挿入され、この速火線１３の他端は、点火装置１に接続されている。また、前記底部材１２の内壁には、着火薬１４が塗着されていて、さらに、前記速火線１３には、発射薬１５が前記着火薬１４に接して部分的に塗着されている。
【００３９】
前記光薬８は、瞬間的に輝度の高い光を発生する薬製であり、この光薬８としては、例えば、Ｓｒ粉末、Ｍｇ粉末又はＭｇ粉末とＡｌ粉末との混合粉末を挙げることができる。Ｍｇ粉末とＡｌ粉末との混合粉末を光薬８として用いるときの両者の混合割合は、光薬８に対し、通常はＭｇ粉末が１５〜３０質量％、好ましくは２０〜２５質量％である。
【００４０】
前記光薬８には、着色剤が含有されていてもよい。この着色剤としては、赤色を発光するリチウム又はカルシウム化合物、紅色を発光するストロンチウム又はストロンチウム化合物、黄色を発光するナトリウム又はナトリウム化合物、緑色を発光するバリウム又はバリウム化合物、青色を発光するカリウム又はカリウム化合物など、公知の着色剤を挙げることができる。これら着色剤は、前記光薬８に対し、通常、２５〜５０質量％の割合で含有される。
【００４１】
前記速火線１３は、例えば、煙火用の速火線を採用することができる。前記速火線１３は、例えば、糸に黒色火薬を染み込ませてなる。このように、前記速火線１３は、紙又は布等の被覆がなされていないので、光薬中に埋め込むことによって、その燃焼速度が速くされている。
【００４２】
また、前記着火薬１４は、前記発射薬１５を発火させる薬製であり、この着火薬１４としては、例えば、アルカリ金属の硝酸塩、ケイ素及び金属酸化物を含有して成る薬剤を挙げることができる。
【００４３】
前記アルカリ金属の硝酸塩としては、硝酸ナトリウム、硝酸カリウム、硝酸アンモニウム等を挙げることができ、中でも、硝酸カリウムが好ましい。前記ケイ素は、粒径が小さいことが好ましく、通常は、１〜１００μｍの平均粒径を有するケイ素が用いられる。
【００４４】
また、用いる金属酸化物に特に制限はないが、鉄酸化物、銅酸化物、亜鉛酸化物、ニッケル酸化物、錫酸化物及びマグネシウム酸化物の中から選ばれた少なくとも一種の金属酸化物を挙げることができる。これら金属酸化物の中でも、鉄酸化物及び銅酸化物が好ましい。この鉄酸化物としては、一酸化鉄（ＦｅＯ）、三酸化二鉄（Ｆｅ２Ｏ３）及び酸化二鉄（Ｆｅ３Ｏ４）を挙げることができ、酸素含有量が多いことから、一酸化鉄（ＦｅＯ）が好適である。このとき、一酸化鉄（ＦｅＯ）を主成分とする限り、三酸化二鉄（Ｆｅ２Ｏ３）及び／又は酸化二鉄（Ｆｅ３Ｏ４）が混在することを妨げることはない。
【００４５】
さらに、前記銅酸化物としては、酸化第一銅（Ｃｕ２Ｏ）、酸化第二銅（ＣｕＯ）のいずれであってもよく、酸素の含有量から、酸化第二銅（ＣｕＯ）が好ましい。
【００４６】
前記着火薬１４において、用いるアルカリ金属の硝酸塩、ケイ素及び金属酸化物の混合割合に特に制限はないが、前記三者の合計質量を１００質量部としたとき、アルカリ金属の硝酸塩が通常は、５〜２０質量部であり、好ましくは、１０〜１５質量部である。アルカリ金属の硝酸塩の混合割合が５質量部未満では、着火しないことがあり、２０質量部を越えると、発炎することがあるので好ましくない。
【００４７】
また、前記三者の合計質量を１００質量部としたとき、ケイ素が通常は、５０〜８０質量部であり、好ましくは、６０〜７０質量部である。ケイ素の混合割合が５０質量部未満の場合、または８０質量部を越える場合は、発熱量が不足して、着火しないことがあるので好ましくない。
【００４８】
さらに、前記三者の合計質量を１００質量部としたとき、金属酸化物が通常は、１０〜４０質量部であり、好ましくは、２０〜３０質量部である。金属酸化物の混合割合が１０質量部未満では、着火しないことがあり、４０質量部を越えると、発炎することがあるので好ましくない。
【００４９】
前記着火薬１４は、前記の各成分を所定割合で混合し、得られた混合物に水又は溶剤を加えて混練、成型及び乾燥することによって調製することができる。
【００５０】
前記発射薬１５は、前記速火線１３を燃焼させることによって発火し、前記光薬８を信号照明弾として発射させる薬剤である。
【００５１】
前記発射薬１５としては、例えば、黒色火薬（硝酸カリウムと硫黄と木炭との混合物）、シングルベース発射薬（ニトロセルロースを主成分とする発射薬）、ダブルベース発射薬（ニトロセルロースとニトログリセリンとの混合物からなる発射薬）、トリプルベース発射薬（ダブルベース発射薬とニトログワニジンとの混合物からなる発射薬）などを挙げることができる。
【００５２】
前記黒色火薬は、通常、硝酸カリウム７５質量％、硫黄１０質量％及び木炭１５質量％の割合で混合されている。前記シングルベース発射薬は、通常、安定剤として、少量のアミン類を含有している。
【００５３】
図４は、この発明の一部切欠部を有する信号照明弾発射装置の一例を示す図である。この信号照明弾発射装置１０−２は、その一端に開口部１６を有するカバー１７内に、前記信号照明弾発射装置１０−１が前記開口部１７から挿入されて収容されている。この信号照明弾発射装置１０−２は、片手で持つことができる程度に略直方体に形成されている。前記カバー１７は、樹脂又は金属により形成することができ、軽量で成形加工の容易な樹脂により形成されていることが好ましい。この樹脂としては、例えば、前記絶縁体６に用いる樹脂を挙げることができる。
【００５４】
前記信号照明弾発射装置１０−２は、前記信号照明弾発射装置１０−１を⇔方向にスライドさせて、前記カバー１７から露出させ、また、前記カバー１７内に収容することができるように、操作ハンドル１８が前記カバー１７に取り付けられていることが好ましい。１９は、吊下げ紐である。
【００５５】
前記信号照明弾発射装置１０−２においては、複数個の、例えば、５個の信号照明弾発射装置１０−１が前記カバー１７内に収容されていることが好ましい。受難者が発見されるまで、信号照明弾を連発することができるからである。また、同様の理由から、航空機の乗務員、乗客又は登山者などは、複数の前記信号照明弾発射装置１０−２を携帯していることが望まれる。
【００５６】
前記信号照明弾発射装置１０−２は、以下のようにして使用することができる。すなわち、前記信号照明弾発射装置１０−２が不使用の状態である初期状態では、この信号照明弾発射装置１０−２の所有者は、例えば、上着の胸ポケットに収容していて、吊下げ紐１９の他端は、胸ポケットなどに固着されている。
【００５７】
海難などの緊急状態の場合には、前記胸ポケットから前記信号照明弾発射装置１０−２を取り出し、前記カバー１７を掴んで前記操作ハンドル１８を握り締めると、前記信号照明弾発射装置１０−１がスライドして、前記カバー１７から露出する。
【００５８】
前記カバー１７から露出した前記信号照明弾発射装置１０−１を、例えば、上空に向け、前記圧電素子７を作動させると、この圧電素子７によって生じた電圧が前記点火薬５に印加され、前記点火薬５中で発生した火花によって前記点火薬５が発火する。点火薬５が発火すると、前記速火線１３が燃焼し、その燃焼が伝播して、前記着火薬１４が発火し、続いて、発火した前記着火薬１４は前記発射薬１５を発火させる。
【００５９】
このようにしてを発火した前記発射薬１５は、さらに前記速火線１３の燃焼によって前記光薬８を上空に向けて発射させ、この発射された光薬８は上空で発火して信号照明弾となる。前記光薬８中に前記着色剤が含有されているときは、着色した信号照明弾となり、その信号照明弾を確実に視認することができるため、受難者の探索、発見及び救助はさらに容易となる。
【００６０】
この発明の信号照明弾発射装置は、前記（２）の点火装置により、例えば、煙草に点火するライターに用いられる圧電素子によって発生するような、低いエネルギーによって発火させた光薬を信号照明弾として発射させることができる。このため、この発明の信号照明弾発射装置は、軽量で携帯に便利であり、例えば、海難などによって海中に投げ出されて漂流する者、航空機事故によって航空機から脱出して海に着水し漂流する者又は山で遭難した者などの受難者が、この信号照明弾発射装置を携帯していると、その使用による信号照明弾によって、前記受難者の探索、発見及び救助が容易に行うことができる。
【実施例】
【００６１】
以下、実施例を挙げて、この発明をさらに具体的に説明するが、これら実施例によってこの発明はなんら限定されることはない。
【００６２】
（実施例１）
〔点火薬の調製例〕
まず、ニトロセルロースを酢酸エチルに溶解して、ニトロセルロース溶液を調製した。次いで、前記ニトロセルロース溶液に、ＤＤＮＰ、トリシネート及び炭素質成分（ケッチェンブラック）を、混合した。このようにして調製された点火薬は、泥薬の形態を呈していて、その組成は、ＤＤＮＰ６５質量％、トリシネート２１質量％及び炭素質成分１４質量％であった。
【００６３】
〔点火薬の発火試験例〕
前記点火薬を内径１７ｍｍの銅管内に充填し、前記銅管に圧電素子（チタン酸バリウム）によって電圧を印加して、前記点火薬の発火試験を実施した。この発火試験は、同様の試験を５回実施し、全ての発火試験において、前記点火薬は発火した。
【００６４】
（実施例２）
〔点火装置の作製例〕
図１及び２に示す点火装置１を作製した。
枠体５は、Ａｌにより形成し、電極３−１（無橋型電極）としてはＣｕを用い、その脚線３−２には、ビニール被覆線を用いた。薬室４に、前記点火薬の調製例により調製された点火薬（泥薬）を塗り込め、酢酸エチルを揮発させることによって、表面にニトロセルロースの被膜が形成された点火薬５を前記薬室４内に充填した。
【００６５】
絶縁体６としてポリカーボネートを用い、半熔融状態のポリカーボネートを前記電極３−１及び薬室４以外の空間に充填し、冷却することによって絶縁体６を形成した。圧電素子７としては、チタン酸バリウムを用いた。
【００６６】
（実施例３）
〔信号照明弾発射装置の作製例〕
図３及び４に示す信号照明弾発射装置１０を作製した。
弾倉９は、Ａｌにより形成し、蓋部材１１は、紙により形成した。速火線１３は、糸に黒色火薬を染み込ませ、線状に形成したものを用いた。この速火線１３の燃焼伝播速度は、１２０ｍ／ｓｅｃである。
【００６７】
光薬８としては、Ｍｇ粉末とＡｌ粉末との等量混合粉末を用いた。着火薬１４としては、過塩素酸カリウム４５質量％、炭酸ストロンチウム１５質量％、Ｍｇ粉末とＡｌ粉末との等量混合粉末２５質量％、セラック１０質量％、及び麻炭５質量％を混合し、成型することによって調整したものを用いた。また、発射薬１５としては、黒色火薬を用いた。このようにして、図３に示す信号照明弾発射装置１０−１を作製した。
【００６８】
操作ハンドル１８と吊下げ紐１９とを有し、略直方体に形成され、開口部１６を有するポリカーボネート製カバー１７内に、前記開口部１６から前記信号照明弾発射装置１０−１を挿入して収容した。このようにして、図４に示す信号照明弾発射装置１０−２を作製した。
【００６９】
〔信号照明弾発射装置の信号照明弾発射試験例〕
前記信号照明弾発射装置１０−２に、圧電素子７（チタン酸バリウム）によって電圧を印加して、前記信号照明弾発射装置１０−２の信号照明弾発射試験を実施した。この信号照明弾発射試験は、同様の試験を３回実施した。結果を表１に示す。
【００７０】
【表１】
0004719528.tif 000002
【００７１】
表２における「参考」欄に記載の「信号照明弾の打上高度」及び「光薬の燃焼時間」は、救命信号照明弾の参考値である。１回目の信号照明弾発射試験においては、信号照明弾の打上高度が前記参考値に僅かに届かなかったが、２回目及び３回目の信号照明弾発射試験においては、信号照明弾の打上高度及び光薬の燃焼時間共に、前記参考値を上回った。
【図面の簡単な説明】
【００７２】
【図１】図１は、この発明の点火装置の構造の一例を部分的に示す図である。
【図２】図２は、この発明の点火装置の全体的構造の一例を示す図である。
【図３】図３は、この発明の信号照明弾発射装置の一例を一部断面を含めて部分的に示す図である。
【図４】図４は、この発明の一部切欠部を有する信号照明弾発射装置の一例を示す図である。
【符号の説明】
【００７３】
１      点火装置
２      枠体
３−１  電極
３−２  脚線
４      薬室
５      点火薬
６      絶縁体
７      圧電素子
８      光薬
９      弾巣
１０      信号照明弾発射装置
１１      蓋部材
１２      底部材
１３      速火線
１４      着火薬
１５      発射薬
１６      開口部
１７      カバー
１８      操作ハンドル
１９      吊下げ紐
【図１】
0004719528.tif 000003
【図２】
0004719528.tif 000004
【図３】
0004719528.tif 000005
【図４】
0004719528.tif 000006